(57)【要約】【課題】ドアのロック手段を操作するためのスイッチをアウタハンドルユニットの凹状部材に対して着脱する際の作業性を高めることが可能な車両のドア構造を提供する。【解決手段】挿入部５２ａ，５２ｂがスイッチ取付壁４３の内部空間Ｅに入り込んでいるクリップ５１は、スイッチ４１の内部空間Ｅへの挿入によって、挿入部５２ａ，５２ｂが内部空間Ｅから押し出されるように湾曲される。そして、スイッチ４１の窪み４８が挿入部５２ａ，５２ｂと合致する位置まで押し込まれた時に、クリップ５１の弾性力によって挿入部５２ａ，５２ｂがそれぞれスイッチ４１の窪み４８に入り込んで係合する。これによって、スイッチ４１は、スイッチ取付壁４３の内部空間Ｅに挿入された状態で係止される。【選択図】図１２
2016079577.tif 000002
【特許請求の範囲】
【請求項１】
ドアを車体側面に係合させるラッチ装置を操作するアウタハンドルと、前記ドアの外表面に設けられたアウタハンドル取付穴に取り付けられ、前記ドアの外表面から内方に向かって凹み、前記アウタハンドルを収容する凹状部材と、前記凹状部材に取り付けられ、前記ラッチ装置を鎖錠するロック手段を動作させるスイッチと、前記スイッチを前記凹状部材に係止するためのクリップと、を備えた車両のドア構造であって、
前記凹状部材は、前記ドアの内外方向に延びる内外面と、該内外面の前記ドアの内部側から遠ざかる方向に延びるとともに前記スイッチを囲むように形成され、内側に前記スイッチを収容するスイッチ取付壁と、該スイッチ取付壁に形成され、前記クリップの一部を前記スイッチ取付壁の内側に進入させるクリップ開口と、を有し、
前記クリップは、前記クリップ開口から前記スイッチ取付壁の内側に進入して前記スイッチと係合する挿入部を有することを特徴とする車両のドア構造。
【請求項２】
前記スイッチ取付壁は、互いに向かい合う一対の対向壁と、該対向壁どうしを連結する連結壁とを備え、
前記クリップ開口は、一対の前記対向壁のうち、少なくとも一方に形成され、
前記クリップは、前記対向壁および前記連結壁を囲むコ字状を成し、一端部分および他端部分において、一対の前記対向壁を挟み込むことを特徴とする請求項１記載の車両のドア構造。
【請求項３】
前記連結壁には、外方に向けて延出する延出壁が形成され、該延出壁は、前記クリップが前記スイッチを係止した状態において、前記クリップよりも外側まで延びることを特徴とする請求項２記載の車両のドア構造。
【請求項４】
前記スイッチ取付壁は、前記ドアのドアインナパネルとドアアウタパネルとの隙間を車両の上下方向の上側からみて視認可能なように、前記凹状部材の上側に配置された前記内外面に設けられており、前記延出壁は、前記上下方向における前記クリップよりも下側に形成されていることを特徴とする請求項３記載の車両のドア構造。
【請求項５】
前記対向壁の外側面には、前記クリップ開口から前記連結壁に向けて延びるクリップ案内溝が形成されていることを特徴とする請求項２ないし４いずれか一項記載の車両のドア構造。
【請求項６】
前記クリップ案内溝は、前記外側面からの深さが、前記クリップ開口側よりも前記連結壁側のほうが深くなるように形成されていることを特徴とする請求項５記載の車両のドア構造。
【発明の詳細な説明】
【技術分野】
【０００１】
この発明は、車両のドア構造に関するものであり、詳しくは、ドアのロック手段を操作するスイッチの取付構造に関する。
【背景技術】
【０００２】
車両のドアには、ドアを閉状態（閉位置）から開状態（開位置）にするために操作されるアウタハンドル（ドアハンドル、アウトサイドハンドル）が設けられている。アウタハンドルは、例えば、ロッドやケーブルを介して、ドアを車体に係合するラッチ機構（ドアロックアッシ）に接続されている。ドアが閉状態にある時には、ドア本体に設けられたラッチ機構を構成するラッチが車体に形成されたストライカと係合する。そして、アウタハンドルを操作して支持軸周りに回動させることにより、ラッチ機構が変位して車体とラッチ機構との係合が解除されて、ドアを開位置（開状態）にすることができる。
【０００３】
こうした車両のドアにおいては、ドアと車体との係合が意図しない状態で解除されないように、ラッチ装置を鎖錠するロック手段（ロック装置、ラッチ解除規制装置）が設けられている。ロック手段は、例えば、アウタハンドルからラッチ装置に至る動作伝達経路の途上に設けられ、アウタハンドルとラッチ装置との連動作動を無効化して規制するものである。
【０００４】
例えば、特許文献１には、こうしたロック手段を鎖錠状態と解錠状態との間で動作させるための操作部材をアウタハンドルの近傍に形成した構成が開示されている。この特許文献１においては、アウタハンドルに設けた開口部を介して、ロック装置を操作するためのプッシュスイッチを、ドアの外側から操作可能なように露呈させた構成が開示されている。
【先行技術文献】
【特許文献】
【０００５】
【特許文献１】特開２００５−３３０７５２号公報
【発明の概要】
【発明が解決しようとする課題】
【０００６】
ところで、特許文献１に示されたドアハンドルユニットにおいては、ドアハンドル（アウタハンドル）を取り付ける凹部の底面側にロック手段のスイッチを設ける場合は、取付時にスイッチが他の部材と干渉することはない。
しかしながら、凹部の内外面（例えば上面）にスイッチを取付ける場合、予めスイッチを設けたアウタハンドルユニットをドアに取り付ける際に、このアウタハンドルユニットの凹部を取り付けるドアの取付穴（アウタハンドル取付穴）の縁部にスイッチが干渉してしまい、取付けが困難であるという課題があった。
【０００７】
また、こうしたスイッチとドアの取付穴との干渉を回避するために、アウタハンドルユニットをドアの取付穴に取り付けた後に、凹部にスイッチを取り付けることも考えられる。しかしながら、この場合、ドアの厚み分の限られた空間内で凹部にスイッチを取り付けるといった困難な作業となり、作業性が大きく低下するという課題があった。
【０００８】
また、ドアハンドルユニットの点検や交換の際には、スイッチが障害となってアウタハンドルユニットをドアの取付穴から取り出すことができない。このため、予めスイッチをアウタハンドルユニットから取り外す際にも、ドアの厚み分の限られた空間内でスイッチを取り外すといった困難な作業となり、作業性が大きく低下するという課題があった。
【０００９】
本発明は、このような課題に鑑みてなされたものであり、ドアのロック手段を操作するためのスイッチをアウタハンドルユニットの凹状部材に対して着脱する際の作業性を高めることが可能な車両のドア構造を提供することを目的とする。
【課題を解決するための手段】
【００１０】
上記課題を解決して係る目的を達成するために、本発明は以下の態様を採用した。
（１）本発明の一態様に係る車両のドア構造は、ドアを車体側面に係合させるラッチ装置（例えば、実施形態におけるラッチ装置３０）を操作するアウタハンドルと、前記ドアの外表面に設けられたアウタハンドル取付穴（例えば、実施形態におけるアウタハンドル取付穴１９）に取り付けられ、前記ドアの外表面から内方に向かって凹み、前記アウタハンドルを収容する凹状部材（例えば、実施形態における凹状部材２５）と、前記凹状部材に取り付けられ、前記ラッチ装置を鎖錠するロック手段を動作させるスイッチ（例えば、実施形態におけるスイッチ４１）と、前記スイッチを前記凹状部材に係止するためのクリップ（例えば、実施形態におけるクリップ５１）と、を備えた車両のドア構造であって、前記凹状部材は、前記ドアの内外方向の前記ドアの内部側に延びる内外面（例えば、実施形態における内外面２２）と、該内外面から遠ざかる方向に延びるとともに前記スイッチを囲むように形成され、内側に前記スイッチを収容するスイッチ取付壁（例えば、実施形態におけるスイッチ取付壁４３）と、該スイッチ取付壁に形成され、前記クリップの一部を前記スイッチ取付壁の内側に進入させるクリップ開口（例えば、実施形態におけるクリップ開口４５）と、を有し、前記クリップは、前記クリップ開口から前記スイッチ取付壁の内側に進入して前記スイッチと係合する挿入部（例えば、実施形態における挿入部５２ａ，５２ｂ）を有することを特徴とする。
【００１１】
（２）上記（１）に記載の車両のドア構造では、前記スイッチ取付壁は、互いに向かい合う一対の対向壁（例えば、実施形態における対向壁４４ａ，４４ｂ）と、該対向壁どうしを連結する連結壁（例えば、実施形態における連結壁４４ｃ，４４ｄ）とを備え、前記クリップ開口は、一対の前記対向壁のうち、少なくとも一方に形成され、前記クリップは、前記対向壁および前記連結壁を囲むコ字状を成し、一端部分および他端部分において、一対の前記対向壁を挟み込むことを特徴とする。
【００１２】
（３）上記（２）に記載の車両のドア構造では、前記連結壁には、外方に向けて延出する延出壁（例えば、実施形態における延出壁４７）が形成され、該延出壁は、前記クリップが前記スイッチを係止した状態において、前記クリップよりも外側まで延びることを特徴とする。
【００１３】
（４）上記（３）に記載の車両のドア構造では、前記スイッチ取付壁は、前記ドアのドアインナパネルとドアアウタパネルとの隙間を車両の上下方向の上側からみて視認可能なように、前記凹状部材の上側に配置された前記内外面に設けられており、前記延出壁は、前記上下方向における前記クリップよりも下側に形成されていることを特徴とする。
【００１４】
（５）上記（２）から（４）の何れか１つに記載の車両のドア構造では、前記対向壁の外側面には、前記クリップ開口から前記連結壁に向けて延びるクリップ案内溝（例えば、実施形態におけるクリップ案内溝４６）が形成されていることを特徴とする。
【００１５】
（６）上記（５）に記載の車両のドア構造では、前記クリップ案内溝は、前記外側面からの深さが、前記クリップ開口側よりも前記連結壁側のほうが深くなるように形成されていることを特徴とする。
【発明の効果】
【００１６】
（１）に記載した発明によれば、スイッチ取付壁に沿ってスイッチを挿入するだけで、クリップの挿入部が押し広げられ、弾性力によってスイッチをスイッチ取付壁に係止する。これによって、アウタハンドル装置をドアのアウタハンドル取付穴に取り付けた後に、凹状部材にスイッチを取り付けるような場合であっても、このスイッチを容易に取り付けることができ、スイッチの取り付け作業性を向上させることが可能になる。
【００１７】
（２）に記載した発明によれば、一対の対向壁の外側面を挟み込むことで、容易にクリップをスイッチ取付壁に取り付けることができる。また、対向壁にクリップ開口を設けることによって、クリップの弾性力を挿入部の付勢力として利用することができ、簡易な構造でスイッチをスイッチ取付壁に係止することができる。
【００１８】
（３）に記載した発明によれば、ドライバなどの治具を延出壁に当接させながら回動させるだけで、クリップを係合位置から退避位置に容易に移動させることができ、スイッチをスイッチ取付壁から容易に取り外すことを可能にする。
【００１９】
（４）に記載した発明によれば、ドアの上側からドアインナパネルとドアアウタパネルとの隙間にドライバなどの治具を挿入し、クリップを係合位置から退避位置に容易に移動させることができるので、スイッチの取り外し作業の作業性を向上させることができる。
【００２０】
（５）に記載した発明によれば、クリップ案内溝に沿ってクリップの挿入部を移動させることができるので、クリップをスイッチ取付壁から完全に取り除くことなく、スイッチのスイッチ取付壁に対する係止を解除することができ、スイッチの一時的な取外しを容易にすることができる。
【００２１】
（６）に記載した発明によれば、クリップ開口から引き出されたクリップの挿入部をクリップ案内溝に沿って移動させ、前記連結壁側で仮保持することができるので、スイッチの着脱時にクリップの挿入部が意図せずクリップ開口に戻ったり、クリップ案内溝からクリップの挿入部が外れてしまったりしてしまうことを防止でき、スイッチの着脱作業性を向上させることができる。また、こうしたスイッチの着脱作業時に、クリップがスイッチ取付壁から脱落することを防止できる。
【図面の簡単な説明】
【００２２】
【図１】車両のドア付近を車幅方向の一方の側から見た時の平面図である。
【図２】車両のドアを車幅方向の車室内側から見た時の一部破断図である。
【図３】車両のドアを車幅方向の車室内側から見た時の平面図である。
【図４】ドアのアウタハンドル装置付近を車室外側から見た時の要部拡大平面図である。
【図５】図４のＡ−Ａ’線に沿ったドアの車幅方向の断面を後側から見た時の要部拡大断面図である。
【図６】図４のＢ−Ｂ’線に沿ったドアの車幅方向の断面を下側から見た時の要部拡大断面図である。
【図７】ドアのアウタハンドル装置を除いた状態を示す平面図である。
【図８】アウタハンドルと係合した凹状部材を車内側（裏面側）から見た時の平面図である。
【図９】アウタハンドルと係合した凹状部材を上側から見た時の平面図である。
【図１０】スイッチの取付部分を前側から見た時の平面図である。
【図１１】スイッチの取付部分を示す要部拡大斜視図である。
【図１２】クリップとスイッチ取付壁との係合状態を示す断面図であり、（ａ）は係止位置、（ｂ）は退避位置をそれぞれ示している。
【図１３】車両のドア付近を上側から見た時の平面図である。
【発明を実施するための形態】
【００２３】
以下、図面を参照して、本発明の車両のドア構造について説明する。なお、以下に示す実施形態は、発明の趣旨をより良く理解させるために具体的に説明するものであり、特に指定のない限り、本発明を限定するものではない。また、以下の説明で用いる図面は、本発明の特徴をわかりやすくするために、便宜上、要部となる部分を拡大して示している場合があり、各構成要素の寸法比率などが実際と同じであるとは限らない。
なお、以下の説明においては、車両の進行方向前側を単に前側、進行方向後側を単に後側、前側及び後側に沿った方向を前後方向、重力方向上側を単に上側、重力方向下側を単に下側、上側及び下側に沿った方向を上下方向、前後方向および上下方向に対して直角な車体の幅方向を単に車幅方向と称して説明する。また、参照する各図面においては、前後方向をＬ、上下方向をＨ、車幅方向をＷとして矢印で示す。
【００２４】
図１は、車両のドア付近を車幅方向の一方の側から見た時の平面図である。
また、図２は、車両のドアを車幅方向の車室内側から見た時の一部破断図である。なお、この図２は、ドアインナパネルを除いた状態を示している。
本実施形態の車両のドア構造を備えた車両１は、例えば、車体２を構成するフロントピラー３とリアピラー４との間のルーフ部分が開閉可能な２ドアのオープンカー（コンパーチブル、カブリオレ）である。車体２の前後方向に沿った側面開口部６には、ドア１０が開閉可能に取り付けられている。なお、以下の記載においては、車幅方向の一方の側（車体前方から見た時の右側）のドア１０のみに着目して説明するが、他方の側のドアも同様の構成である。
【００２５】
ドア１０に採用されるドア構造１０Ａは、ドア本体１１と、アウタハンドル装置（ドアハンドル装置、アウトサイドハンドル装置、ドアノブ装置）２０と、ラッチ装置（ラッチ機構）３０と、アウタハンドル装置２０とラッチ装置３０とを連動させるロッド１２と、ロック装置（ロック手段、ドアロック装置）４０と、ドア本体１１に対して昇降するウインドウガラス１３と、サイドミラー１４と、を備えている。
【００２６】
ラッチ装置（ラッチ機構）３０は、車体２の側面開口部６の近傍に設けられたストライカ（図示略）と係合することで、ドア１０を側面開口部６に閉状態で係止させる（以下、この状態をラッチ状態と称する）。
アウタハンドル装置（ドアハンドル装置、アウトサイドハンドル装置、ドアノブ装置）２０は、後述するアウタハンドル２１を回動させることにより、ロッド１２を介してラッチ装置３０を操作して、ドア１０の係止状態を解除する（以下、この状態をアンラッチ状態と称する）。なお、ラッチ装置３０は、図３に示すように、ドアの車室内側に形成されたインナハンドル１７を操作することによっても、ドア１０をアンラッチ状態にすることができる。
【００２７】
ロック装置（ロック手段、ドアロック装置）４０は、ラッチ装置３０を鎖錠させた鎖錠位置（以下、この状態をロック状態と称する）と、ラッチ状態からアンラッチ状態に変位可能な状態にさせた解錠位置（以下、この状態をアンロック状態と称する）との間で変位させる。本実施形態では、ロック装置４０を構成する、後述する操作部材４１の操作によって、ラッチ装置３０をロック状態からアンロック状態に変位させる。なお、ロック装置４０は、図３に示すように、ドア１０の車室内側に形成された車室内側の操作部材１８を操作することによっても、ラッチ装置３０をロック状態とアンロック状態との間で変位させることができる。
【００２８】
図４は、ドアのアウタハンドル装置付近を車室外側から見た時の要部拡大平面図である。図５は、図４のＡ−Ａ’線に沿った、ドアの車幅方向の断面を後側から見た時の要部拡大断面図である。また、図６は、図４のＢ−Ｂ’線に沿った、ドアの車幅方向の断面を下側から見た時の要部拡大断面図である。
【００２９】
アウタハンドル装置（ドアハンドル装置、アウトサイドハンドル装置、ドアノブ装置）２０は、後述する凹状部材２５、アウタハンドル２１、ロック装置４０を構成するスイッチ４１、スイッチ４１を係止するクリップ５１等から構成される。
ラッチ装置３０のラッチ状態を解除するアウタハンドル（ドアハンドル、アウトサイドハンドル、ドアノブ、把持部）２１は、アウタハンドル装置２０を構成する凹状部材２５に収容され、露出部分である外面の一部がドア１０の外表面に沿って、車体２の前後方向に長く延びる形状を成す。そして、アウタハンドル２１の露出部分は、凹状部材２５の凹面２６の一部を覆うように形成されている。
【００３０】
こうしたアウタハンドル２１の露出部分を、ドア１０の外表面から突出させずに外表面に沿った形状とすることで、アウタハンドル２１を外部から見た時の形状が、車両１のスタイリッシュな外観に合った流麗なデザインを成している。
【００３１】
凹状部材２５は、ドア本体１１の外表面から内方に向かって凹んだ凹面２６をもつ、前後方向に長い溝を成す皿状の部材である。この凹状部材２５は、図７に示すように、ドア本体１１の外表面に形成されたアウタハンドル取付穴１９に車外側から取り付けられる。
【００３２】
凹状部材２５の凹面２６のうち、ドアの外表面から内外方向に延びる上下それぞれの領域が内外面２２であり、この上側の内外面２２ａと下側の内外面２２ｂを繋ぐ領域が上下面２４である。なお、連続した一様な面からなる凹部２６のうち、内外面２２は、例えば、図５において、上下方向よりも水平方向の成分が多い領域とし、また、上下面２４は、水平方向よりも上下方向の成分が多い領域とすることができる。
【００３３】
アウタハンドル２１のうち、車体２の前後方向に沿った、ドア１０の外表面に露呈されない一端側は軸支部２１Ａとされている。この軸支部２１Ａは、ドア１０に形成された回動軸２３によって回動可能に軸支される。一方、車体２の前後方向に沿ったアウタハンドル２１の他端側は、ドア１０の外表面に露呈した把持部２１Ｂとされている。こうしたアウタハンドル２１は、軸支部２１Ａと把持部２１Ｂとが一体に形成されている。凹状部材２５の凹面２６は、この把持部２１Ｂの縁部２１ＢＥよりも後側が車外側に露呈される。
【００３４】
そして、ラッチ装置３０がラッチ状態にある時に、使用者がドア１０を回動させる際には、使用者の把持部２１Ｂを把持し、回動軸２３を中心にしてアウタハンドル２１を車外方向に回動させる（把持部２１Ｂの縁部２１ＢＥ側を内外面２２から引き出す：図６中の矢印Ｐ１参照）。これにより、ロッド１２を介してラッチ装置３０を操作してラッチ状態を解除し、ドア１０を回動可能なアンラッチ状態にさせることができる。
【００３５】
ロック装置（ロック手段、ドアロック装置）４０は、ラッチ装置３０をロック状態とアンロック状態との間で変位させるものであり、アンロック状態にあるラッチ装置３０をロック状態に変位させる際に操作するスイッチ（ロックスイッチ）４１を備えている。こうしたスイッチ４１の操作部材（ロックボタン）４２は、使用者が直接接触して操作する部材であり、例えば、電気的なスイッチを開閉させる部材であればよい。ロック装置４０は、こうしたスイッチ４１の操作部材４２を操作することによってラッチ装置３０を電気的に制御する電装装置であればよい。本実施形態では、操作部材４２は、押ボタンを用いている。
【００３６】
スイッチ４１の操作部材４２は、上側の内外面２２ａから下側に向かって突出するように形成され、ラッチ装置３０をロック状態にさせる際には、この操作部材４２を内外面２２ａの上側に向けて手指で押すように操作する。
【００３７】
なお、ロック装置４０のスイッチ４１は、ラッチ装置３０をロック状態からアンロック状態に変位させるために用いることもできる。例えば、何らかの認証信号が予めロック装置４０に送られた後、操作部材４２を操作することによって、ラッチ装置３０をアンロック状態に変位させ、ドアを開位置にできるような構成にすることもできる。
【００３８】
図８は、アウタハンドルと係合した凹状部材を車内側（裏面側）から見た時の平面図である。図９は、アウタハンドルと係合した凹状部材を上側から見た時の平面図である。図１０は、スイッチの取付部分を前側から見た時の平面図である。また、図１１は、スイッチの取付部分を示す要部拡大斜視図である。
凹状部材２５の上側の内外面２２ａのうち、アウタハンドル２１の把持部２１Ｂの縁部２１ＢＥ（図４参照）近傍には、ロック装置４０を構成するスイッチ４１を凹状部材２５に取り付けるためのスイッチ取付壁４３が一体に形成されている。また、このスイッチ取付壁４３にスイッチ４１を係止するためのクリップ５１が取り付けられている。
【００３９】
このスイッチ取付壁４３は、凹状部材２５の上側の内外面２２ａから上方に遠ざかる方向に延びるとともに、スイッチ４１を囲むように形成された壁部材からなり、下側では凹状部材２５に操作部材開口２７（図４参照）を形成している。スイッチ取付壁４３に取り付けられたスイッチ４１の操作部材４２は、この操作部材開口２７を介して凹状部材２５の凹面２６から露出する。
【００４０】
さらに具体的には、スイッチ取付壁４３は、車両１の前後方向で互いに向かい合う一対の対向壁４４ａ，４４ｂと、この対向壁４４ａ，４４ｂどうしを連結する連結壁４４ｃ，４４ｄとを備えた、断面略矩形の中空筒状部材からなる。これらスイッチ取付壁４３を構成する対向壁４４ａ，４４ｂ、連結壁４４ｃ，４４ｄは、凹状部材２５と同一の材料で一体に形成されている。スイッチ４１は、これら対向壁４４ａ，４４ｂ、連結壁４４ｃ，４４ｄで囲まれたスイッチ取付壁４３の内側空間Ｅに挿入される。
【００４１】
スイッチ取付壁４３を構成する対向壁４４ａ，４４ｂのそれぞれには、クリップ５１の一部をスイッチ取付壁４２の内側空間Ｅに進入させるクリップ開口４５，４５が形成されている。クリップ開口４５，４５は、対向壁４４ａ，４４ｂのそれぞれの外側面４４ａｆ，４４ｂｆと内側空間Ｅとを連通させる断面長方形の貫通穴からなる。クリップ開口４５，４５は、後述するクリップ５１の断面直径よりも大きい幅となるように形成されている。
【００４２】
また、対向壁４４ａ，４４ｂのそれぞれの外側面４４ａｆ，４４ｂｆには、クリップ開口４５，４５から連結壁４４ｃ，４４ｄに向けて細長く延びるクリップ案内溝４６，４６が形成されている。クリップ案内溝４６，４６は、外側面４４ａｆ，４４ｂｆから内側空間Ｅに向かう方向のである深さが、クリップ開口４５，４５側よりも連結壁４４ｃ，４４ｄ側のほうが深くなるように形成されている。
【００４３】
例えば、本実施形態のクリップ案内溝４６，４６の場合、連結壁４４ｃ，４４ｄ側に深く掘り込まれた溝凹部領域４６ａ，４６ａが形成され、クリップ開口４５，４５側に、この溝凹部領域４６ａ，４６ａから外側面４４ａｆ，４４ｂｆに向かって突出した溝凸部領域４６ｂ，４６ｂが形成されている。そして、溝凹部領域４６ａ，４６ａと溝凸部領域４６ｂ，４６ｂとの間は段差状になっている。溝凸部領域４６ｂ，４６ｂの頂面は、外側面４４ａｆ，４４ｂｆと同じ高さ位置に、あるいは、これよりも僅かに深さ方向に掘り込まれた位置にあればよい。
【００４４】
連結壁４４ｃには、外方に向けて延出する延出壁４７が一体に形成されている。この延出壁４７は、クリップ５１よりも上下方向の下側となる位置に形成されている。こうした延出壁４７は、本実施形態では連結壁４４ｃのうち、対向壁４４ｂ側に片寄った位置に形成されているが、延出壁４７を連結壁４４ｃの中央部分に形成したり、対向壁４４ａ側に片寄った位置に形成してもよい。
【００４５】
延出壁４７は、クリップ５１がスイッチ４１をスイッチ取付壁４３の内部空間Ｅで係止した状態において、クリップ５１よりも外側まで延びるように形成されている。こうした延出壁４７は、スイッチ４１の着脱過程でクリップ５１による係止を解除するための治具を受け止める支持部材となる。
【００４６】
クリップ５１は、対向壁４４ａ，４４ｂおよび連結壁４４ｃを囲むコ字状を成し、一端部分および他端部分には挿入部５２ａ，５２ｂが形成されている。この挿入部５２ａ，５２ｂは、クリップ５１の一端部分と他端部分とが互いに接近するように屈曲させた領域である。挿入部５２ａ，５２ｂは、それぞれクリップ開口４５，４５からスイッチ取付壁４３の内側空間Ｅに進入して、スイッチ４１をスイッチ取付壁４３に固定（係止）させる。
【００４７】
このようなクリップ５１は、応力が加わらない状態では、湾曲した挿入部５２ａ，５２ｂの頂部どうしの間隔が、対向壁４４ａ，４４ｂの内面どうしの間隔よりも狭くなるように形成されている。なお、スイッチ４１には、この挿入部５２ａ，５２ｂの頂部が進入可能な窪み４８が形成されている。
【００４８】
クリップ５１は、少なくとも挿入部５２ａと挿入部５２ｂとの頂部どうしの間隔が離間可能なように、その一部が弾性部材で形成されていればよい。本実施形態では、クリップ５１は、その全体が弾性部材、例えば線状の金属材で構成されている。
【００４９】
以上のような構成の本実施形態における車両のドア構造の作用を説明する。本実施形態のドア構造１０Ａによれば、アウタハンドル装置２０の凹状部材２５をアウタハンドル取付穴１９に取り付ける際に、取付作業を容易にすることができる。また、凹状部材２５に対するスイッチ４１の着脱作業を容易にすることができる。
【００５０】
まず、車両１の組立工程において、凹状部材２５をアウタハンドル取付穴１９に取り付ける際には、凹状部材２５をドア本体１１に形成されたアウタハンドル取付穴１９に押し込み、ネジ等で固定する。この時、凹状部材２５のスイッチ取付壁４３に予めスイッチ４１を取り付けない状態にしておくことで、凹状部材２５をアウタハンドル取付穴１９にスムーズに入れることができる。
【００５１】
即ち、凹状部材２５の上側の内外面２２ａにスイッチ４１が設けられる場合、スイッチ４１が取り付けられた状態で凹状部材２５をアウタハンドル取付穴１９に入れようとすると、凹状部材２５から上方向に突出したスイッチ４１がアウタハンドル取付穴１９の縁部に干渉してしまい、水平方向に入れることができない。この場合、スイッチ４１をアウタハンドル取付穴１９に入れた後、凹状部材２５を捻りながらアウタハンドル取付穴１９に入れるなど、複雑で手間の掛かる組立操作が必要となる。
【００５２】
一方、本実施形態の凹状部材２５を用いる場合、後述するように、スイッチ４１は後工程で容易に取り付けることができる。スイッチ取付壁４３の上端から凹状部材２５の下部までの高さは、アウタハンドル取付穴１９の高さ方向の幅とほぼ同じであるので、アウタハンドル取付穴１９に対して水平に凹状部材２５を挿入することができ、極めて容易にアウタハンドル取付穴１９に凹状部材２５を取り付けることが可能になる。
【００５３】
図１２は、スイッチ取付壁に対するクリップの動きを示す断面図である。このうち、図１２（ａ）は、クリップが係合位置にある時の断面図、図１２（ｂ）は、クリップが退避位置にある時の断面図をそれぞれ示している。
クリップ５１は、係合位置にある時には、一端部分および他端部分を成す挿入部５２ａ，５２ｂが、スイッチ取付壁４３の対向壁４４ａ，４４ｂにそれぞれ形成されたクリップ開口４５，４５からスイッチ取付壁４３の内側空間Ｅに進入して、スイッチ４１の窪み４８と係合する。これによって、スイッチ４１は、スイッチ取付壁４３の内部空間Ｅに挿入された状態で係止される。
【００５４】
一方、クリップ５１は、退避位置にある時には、一端部分および他端部分を成す挿入部５２ａ，５２ｂが、それぞれクリップ案内溝４６，４６に沿って連結壁４４ｃ寄りに移動して溝凹部領域４６ａ，４６ａに入り込んだ状態となっている。この退避位置では、クリップ５１は、挿入部５２ａの頂部と，挿入部５２ｂの頂部との間隔が、付勢方向に抗して係合位置にある時よりも広げられた状態となっている。
【００５５】
スイッチ４１を凹状部材２５を取り付けるにあたって、アウタハンドル取付穴１９に凹状部材２５を取り付ける前に、クリップ５１を予め係合位置（図１２（ａ）参照）にしておく。そして、アウタハンドル取付穴１９に凹状部材２５を取り付けた後、作業者がスイッチ４１をスイッチ取付壁４３の内部空間Ｅに挿入する。
【００５６】
この時、挿入部５２ａ，５２ｂがスイッチ取付壁４３の内部空間Ｅに入り込んでいるクリップ５１は、スイッチ４１の内部空間Ｅへの挿入によって、挿入部５２ａ，５２ｂが内部空間Ｅから押し出されるように湾曲される。
そして、スイッチ４１の窪み４８が挿入部５２ａ，５２ｂと合致する位置まで押し込まれた時に、クリップ５１の弾性力によって挿入部５２ａ，５２ｂがそれぞれスイッチ４１の窪み４８に入り込んで係合する。これによって、スイッチ４１は、スイッチ取付壁４３の内部空間Ｅに挿入された状態で係止される。
【００５７】
このように、本実施形態によれば、スイッチ４１をスイッチ取付壁４３の内部空間Ｅに挿入して押し込むだけで、スイッチ４１をスイッチ取付壁４３に係止することができる。特に、作業スペースの限られたドア１０の内側であっても、スイッチ４１を押し込むといった簡易な手順で、容易に、かつ確実にスイッチ４１をスイッチ取付壁４３に係止することが可能になる。よって、アウタハンドル取付穴１９に凹状部材２５を取り付けた後工程であっても、作業手順を複雑化させることなくスイッチ４１をスイッチ取付壁４３に係止させることができる。
【００５８】
一方、メンテナンスや不具合による交換などでスイッチ４１をスイッチ取付壁４３から取り外す際には、図１３に示すドア本体１１のインナパネル１１Ｎとアウタパネル１１Ｕとの間のドア厚み方向（車幅方向Ｗ）に沿った隙間から、例えば、先端部分が板状を成すマイナスドライバなどの治具を挿入する。そして、係合位置（図１２（ａ）参照）にあるクリップ５１とスイッチ取付壁４３の連結壁４４ｃとの隙間に治具Ｔを差し込む。この時、連結壁４４ｃのうち対向壁４４ｂ側、即ち、延出壁４７が形成された位置に治具Ｔを差し込む。治具Ｔは、平坦部分が連結壁４４ｃの外面と平行になるように差し込めばよい。
【００５９】
これによって、クリップ５１とスイッチ取付壁４３の連結壁４４ｃとの隙間に差しこまれた治具Ｔは、その先端部分が延出壁４７によって支持される。そして、治具Ｔの平板状の先端部分がちょうどクリップ５１に当接する位置で位置決めされ、これよりも下側まで治具Ｔが差し込まれることを防止する。
【００６０】
次に、延出壁４７を支点にして、この治具Ｔを９０度回転させることによって、クリップ５１のうち連結壁４４ｃと対面する部分が連結壁４４ｃから離間される。これにより、クリップ５１の挿入部５２ａ，５２ｂは、クリップ開口４５，４５の外側に引き出されてクリップ案内溝４６，４６に沿って移動し、溝凸部領域４６ｂ，４６ｂを乗り越え、弾性力によって溝凹部領域４６ａ，４６ａに入り込む。
【００６１】
これにより、クリップ５１は退避位置（図１２（ｂ）参照）に移動し、スイッチ４１との係合が解除される。クリップ５１は、その付勢方向に抗して挿入部５２ａと挿入部５２ｂとの間を広げた状態で、スイッチ取付壁４３の溝凹部領域４６ａ，４６ａに留めておくことができる。この後、スイッチ４１を上方向に引き出すことによって、スイッチ４１を容易にスイッチ取付壁４３から取り外すことが可能になる。
【００６２】
なお、スイッチ４１の取り外し時において、クリップ５１の挿入部５２ａ、５２ｂは、必ずしもその両方をクリップ開口４５から外す必要はなく、いずれか一方（例えば挿入部５２ｂのみ）を外す構造としてもよい。挿入部５２ａ、５２ｂのうち、一方がクリップ開口４５から外れれば、他方を撓ませながらスイッチ４１をスイッチ取付壁４３から取り外すことができる。
【００６３】
以上、本発明の車両のドア構造の一実施形態について説明したが、本発明はこれに限定されることはなく、その発明の技術的思想を逸脱しない範囲で適宜変更可能である。
例えば、上述した実施形態では、スイッチ取付壁４３は、対向壁４４ａ，４４ｂと、これを繋ぐ連結壁４４ｃ，４４ｄからなる断面矩形の筒状体としたが、スイッチ４１を保持可能な形状であれば、これに限定されるものでは無い。
また、上述した実施形態では、クリップ開口４５は、互いに対向する対向壁４４ａ，４４ｂのそれぞれに形成しているが、これに限らず、少なくとも一方の対向壁のみにクリップ開口４５を形成した構成であればよい。
【００６４】
また、上述した実施形態では、クリップ５１は、弾性をもつ金属細線を屈曲させて形成しているが、これ以外にも、例えば、金属板を屈曲させて形成したり、あるいは、弾性をもつ樹脂材料を屈曲させて形成することもできる。
また、上述した実施形態では、凹状部材２５の凹面２６のうち上側の内外面２２ａにスイッチ取付壁４３を形成しているが、凹面２６の下側の内外面２２ｂにスイッチ取付壁４３を形成した構成にすることもできる。
【００６５】
なお、上述した実施形態では、ドア構造１０Ａを適用する車両１として、フロントピラー３とリアピラー４との間のルーフ部分が開閉可能な２ドアのオープンカー（コンパーチブル、カブリオレ）を例示しているが、車両１はこうしたオープンカーに限定されるものでは無く、各種形状の車体を持つ車両に対しても、ドア構造１０Ａを全く同様に適用することができる。
【符号の説明】
【００６６】
１  車両
２  車体
１０  ドア
１０Ａ  ドア構造
１９  アウタハンドル取付穴
２０  アウタハンドル装置
２１  アウタハンドル
２２  内外面
２５  凹状部材
３０  ラッチ装置
４０  ロック装置
４１  スイッチ
４２  操作部材
４３  スイッチ取付壁
４４ａ，４４ｂ  対向壁
４４ｃ，４４ｄ  連結壁
４５  クリップ開口
４６  クリップ案内溝
４７  延出壁
５１  クリップ
５２ａ，５２ｂ  挿入部
【図１】
2016079577.tif 000003
【図２】
2016079577.tif 000004
【図３】
2016079577.tif 000005
【図４】
2016079577.tif 000006
【図５】
2016079577.tif 000007
【図６】
2016079577.tif 000008
【図７】
2016079577.tif 000009
【図８】
2016079577.tif 000010
【図９】
2016079577.tif 000011
【図１０】
2016079577.tif 000012
【図１１】
2016079577.tif 000013
【図１２】
2016079577.tif 000014
【図１３】
2016079577.tif 000015